(57)【特許請求の範囲】
【請求項１】
バッテリと交流電源との間で双方向の電力授受を行う充放電装置であって、
前記充放電装置の外部からの交流入出力線を接続する交流入出力端子台と、
前記充放電装置の外部からの直流入出力線を接続する直流入出力端子台と、
交流入出力端子側のノイズを低減する交流ノイズフィルタと、
直流入出力端子側のノイズを低減する直流ノイズフィルタと、
を有し、
前記交流入出力端子側のアース端子と、前記直流入出力端子側のアース端子とが共用アースプレート上に設けられ、
前記共用アースプレートにおいて、
前記交流入出力端子側の第１のアース端子が、前記交流ノイズフィルタを搭載する基板から引き出された第１のアース接続線に接続され、
前記直流入出力端子側の第２のアース端子が、前記直流ノイズフィルタを搭載する基板から引き出された第２のアース接続線に接続され、
前記交流入出力端子側の第３のアース端子が、前記交流電源側からの第３のアース接続線に接続され、
前記直流入出力端子側の第４のアース端子が、前記バッテリ側からの第４のアース接続線に接続され、
前記交流入出力端子側の前記第３のアース端子と、前記直流入出力端子側の第４のアース端子との間の抵抗値が１０ｍΩ未満となるように各アース端子同士が電気的に接続され、
前記第３のアース接続線および前記第４のアース接続線の挿入側ではない側に前記第１のアース端子および前記第２のアース端子が設けられている
充放電装置。
【請求項２】
前記交流ノイズフィルタを搭載する基板と、前記直流ノイズフィルタを搭載する基板とにおいて、部品の非搭載面同士が向かい合わせで配置されている
請求項１に記載の充放電装置。
【請求項３】
前記交流ノイズフィルタを搭載する基板と、前記直流ノイズフィルタを搭載する基板とにおいて、部品面の高さが低い面同士が向かい合わせで配置されている
請求項１に記載の充放電装置。
【請求項４】
前記交流入出力端子側の前記第１のアース端子と前記第３のアース端子との間の抵抗値が１０ｍΩ未満となるように各アース端子同士が電気的に接続されている請求項１から３の何れか１項に記載の充放電装置。
【請求項５】
前記直流入出力端子側の前記第２のアース端子と前記第４のアース端子との間の抵抗値が１０ｍΩ未満となるように各アース端子同士が電気的に接続されている請求項１から３の何れか１項に記載の充放電装置。
【請求項６】
前記交流入出力端子側の前記第１及び第３のアース端子と前記直流入出力端子側の前記第２及び第４のアース端子とが、前記充放電装置を収容する筐体の少なくとも１面に電気的に接続されている請求項１から５の何れか１項に記載の充放電装置。
【発明の詳細な説明】
【技術分野】
【０００１】
本発明は、バッテリを充放電し、バッテリと交流電源との間で双方向に電力供給が可能な充放電装置に関する。
【背景技術】
【０００２】
バッテリと交流電源との間で双方向に電力供給を行う装置ではないが、下記特許文献１に記載の電源装置は、交流を直流に変換する交直変換器と、交直変換器の直流出力に含まれるリプルを低減するフィルタと、交直変換器の入力側に設けられた第１の接地コンデンサと、フィルタの出力側に設けられた第２の接地コンデンサとを具備する構成において、第１の接地コンデンサの接地点と、第２の接地コンデンサの接地点とを第１の接地導体に接続し、第１の接地導体を１点接地することが開示されている。また、この特許文献１では、第１の接地導体を１点接地することにより、コモンモードによる電流リプルが負荷側に与える影響を低減できると説明されている。
【先行技術文献】
【特許文献】
【０００３】
【特許文献１】特開２００６−１２９５９１号公報
【発明の概要】
【発明が解決しようとする課題】
【０００４】
しかしながら、上記特許文献１では、交流側アースと直流側アースに関する構造的な配置が不明であり、具体的な構成については何も触れられていない。また、第１の接地導体を１点接地しても接地導体が細かったり、長かったりするとノイズ低減効果が十分得られない、という問題点が認められる。
【０００５】
本発明は、上記に鑑みてなされたものであって、交流側アースと直流側アースに関する構造的な配置を開示して、伝導ノイズまたは放射ノイズの低減に寄与できる充放電装置を提供することを目的とする。
【課題を解決するための手段】
【０００６】
上述した課題を解決し、目的を達成するため、本発明に係る充放電装置は、装置外部からの交流入出力線を接続する交流入出力端子台と、装置外部からの直流入出力線を接続する直流入出力端子台と、を有し、交流電源側のアース端子とバッテリ側のアース端子との間の抵抗値が１０ｍΩ未満となるように各アース端子同士が電気的に接続されていることを特徴とする。
【発明の効果】
【０００７】
本発明によれば、バッテリと交流電源との間で双方向の電力授受を行う充放電装置において、伝導ノイズまたは放射ノイズの低減に寄与できる、という効果を奏する。
【図面の簡単な説明】
【０００８】
【図１】実施の形態１に係る充放電装置の構成を示すブロック図
【図２】図１に示した直流直流変換器の構成を示す回路図
【図３】充放電装置における交流入出力端共用アースプレート、直流入出力端共用アースプレートおよび接続アースバーの搭載位置および接続構成を示す斜視図
【図４】充放電装置における交流側ノイズフィルタ基板および直流側ノイズフィルタ基板の搭載位置および接続構成を示す斜視図
【図５】直流入出力端子側に配置される直流ノイズフィルタの構成を示す回路図
【図６】交流入出力端子側に配置される交流ノイズフィルタの構成を示す回路図
【図７】実施の形態３に係る充放電装置として共用アースプレートを有する構成を示す回路図
【図８】共用アースプレートの配置例を示す斜視図
【図９】共用アースプレートの他の配置例を示す斜視図
【図１０】共用アースプレートの構成例を交流入出力端子台および直流入出力端子台との関係で示す図
【図１１】共用アースプレートの他の構成例を交流入出力端子台および直流入出力端子台との関係で示す図
【図１２】交流側ノイズフィルタ基板および直流側ノイズフィルタ基板と共用アースプレートとの接続関係を示す図
【発明を実施するための形態】
【０００９】
以下に、本発明の実施の形態に係る充放電装置を図面に基づいて説明する。なお、以下に示す実施の形態により本発明が限定されるものではない。
【００１０】
実施の形態１．
以下、図１から図６までの図面を参照して、実施の形態１に係る充放電装置１０の構成について詳細に説明する。図１は、実施の形態１に係る充放電装置１０の構成を示すブロック図である。図２は、図１に示した直流直流変換器３０の構成を示す回路図である。図３は、充放電装置１０における交流入出力端共用アースプレート７０、直流入出力端共用アースプレート８０および接続アースバー８２の搭載位置および接続構成を示す斜視図である。図４は、充放電装置１０における交流側ノイズフィルタ基板４２および直流側ノイズフィルタ基板４４の搭載位置および接続構成を示す斜視図である。図５は、直流入出力端子Ｐ，Ｎ側に配置される直流ノイズフィルタ５０の構成を示す回路図である。図６は、交流入出力端子Ｕ，Ｏ，Ｖ側に配置される交流ノイズフィルタ４０の構成を示す回路図である。
【００１１】
実施の形態１に係る充放電装置１０は、交流電源と、自立運転時の電力供給源であるバッテリ９０との間で双方向の電力授受を行う充放電装置である。なお、双方向の電力授受を行う充放電装置を説明する場合、交流電源側は「一次側」、バッテリ側は「二次側」と称されることが多い。以下の説明では、この表記を併用する。
【００１２】
充放電装置１０は、図１に示すように、交流入出力端子Ｕ，Ｏ，Ｖを有し、交流電源電圧が印加される交流入出力端子台２２と、交流入出力端子台２２に接続される交流入出力端子Ｕ，Ｏ，Ｖ側のノイズを低減する交流ノイズフィルタ４０と、交流ノイズフィルタ４０の二次側に設けられる交流直流変換器２０、交流直流変換器２０の二次側に設けられる直流直流変換器３０と、直流直流変換器３０の二次側に設けられる直流入出力端子Ｐ，Ｎ側のノイズを低減する直流ノイズフィルタ５０と、直流ノイズフィルタ５０の二次側に設けられ、直流入出力端子Ｐ，Ｎを有し、バッテリ電圧が印加される直流入出力端子台３２と、を備えて構成される。
【００１３】
充放電装置１０は、双方向の電力授受を行う装置であるが故、交流入出力端子Ｕ，Ｏ，Ｖおよび直流入出力端子Ｐ，Ｎは、共に入力端子にも出力端子にもなり得る。電力変換装置、電源装置などの電気機器では、一般的に、他の外部機器にノイズの影響を与えないため、雑音端子電圧、雑音端子電力などの雑音指標によって伝導ノイズを規制している。実施の形態１に係る充放電装置５０においても例外ではなく、交流入出力端子Ｕ，Ｏ，Ｖ側および直流入出力端子Ｐ，Ｎ側の双方においてノイズを抑制する必要があり、交流ノイズフィルタ４０および直流ノイズフィルタ５０を設けている。
【００１４】
交流直流変換器２０は、一次側である交流電源から供給される交流電力を直流電力に変換する。あるいは、二次側から供給される直流電力を交流電力に変換する。すなわち、交流直流変換器２０は、一次側から供給される交流電力と二次側から供給される直流電力とを相互に変換する双方向の交流直流変換器である。
【００１５】
直流直流変換器３０は、一次側から印加される直流電圧を内部で交流電圧に変換した後に、再度直流電圧に変換して二次側に出力する。あるいは、二次側から印加される直流電圧を交流電圧に変換した後に、再度直流電圧に変換して一次側に出力する。すなわち、直流直流変換器３０は、一次側に印加される第１の直流電圧と二次側に印加される第２の直流電圧とを相互に変換する双方向の直流直流変換器である。なお、第１の直流電圧と第２の直流電圧とは、異なる値であっても同じ値であってもよい。
【００１６】
直流直流変換器３０の二次側には、直流直流変換器３０の端子間電圧を安定させるためのコンデンサ３５が接続されている。コンデンサ３５は、必要に応じて第１のコンデンサと呼称する。
【００１７】
直流直流変換器３０の一次側、すなわち直流直流変換器３０と交流直流変換器２０との間には、これら直流直流変換器３０および交流直流変換器２０の端子間電圧を安定させるためのコンデンサ２５が接続されている。コンデンサ２５は、必要に応じて第２のコンデンサと呼称する。
【００１８】
直流直流変換器３０は、一次側から印加される第１の直流電圧をバッテリ９０の充電に適した第２の直流電圧に変換してバッテリ９０を充電する。また、直流直流変換器３０は、バッテリ９０によって印加される第２の直流電圧を第１の直流電圧に変換する際に、交流直流変換器２０に供給する第１の直流電圧の電圧値を制御することでバッテリ９０から供給される放電電力を制御する。
【００１９】
直流直流変換器３０の詳細構成は図２に示す通りであり、磁気結合する巻線１３４ａ，１３４ｂを有する絶縁用のトランス１３４を挟んで左右対称な構成となっている。直流直流変換器３０では、半導体素子１３２ａ，１３２ｂ，１３２ｃ，１３２ｄがフルブリッジ接続され、リアクトル１３３を介して巻線１３４ａに接続される電力変換回路１３１と、半導体素子１３８ａ，１３８ｂ，１３８ｃ，１３８ｄがフルブリッジ接続され、リアクトル１３７を介して巻線１３４ｂに接続される電力変換回路１３６とが構成されている。電力変換回路１３１は、一次側から印加される直流電圧を交流電圧に変換して巻線１３４ａに印加する直流交流変換回路であり、電力変換回路１３６は、二次側から印加される直流電圧を交流電圧に変換して巻線１３４ｂに印加する直流交流変換回路である。このように構成された直流直流変換器３０は、一次側からの印加電圧と二次側からの印加電圧とを自在に昇降圧が可能で、且つ、絶縁された電圧変換器もしくは電力変換として動作する。また、図は省略するが双方向ＡＣ／ＤＣ変換器（インバータ／コンバータ）は一般的な単相の４つの半導体素子を１３２ａ〜１３２ｄおよび１３８ａ〜１３８ｄと同様にフルブリッジで構成した回路から成るものである。
【００２０】
図３には、交流入出力端子台２２、直流入出力端子台３２、交流入出力端共用アースプレート７０、直流入出力端共用アースプレート８０および接続アースバー８２の充放電装置１０における配置例が示されている。交流入出力端共用アースプレート７０と直流入出力端共用アースプレート８０は、プレート面が対抗するように上下に配置されている。交流入出力端共用アースプレート７０と直流入出力端共用アースプレート８０とは図１にも示すように、接続アースバー８２によって接続される。
【００２１】
また、交流入出力端子台２２には、装置外部からの交流入出力線２４が接続され、直流入出力端子台３２には、バッテリ９０からの直流入出力線３４が接続されている。さらに、交流入出力端共用アースプレート７０には交流電源側からのアース接続線７４が接続され、直流入出力端共用アースプレート８０にはバッテリ９０側からのアース接続線８５が接続されている。このため、図３の構成では、交流入出力端子台２２を交流入出力端共用アースプレート７０に隣接して配置し、直流入出力端子台３２も直流入出力端共用アースプレート８０に隣接して配置している。その結果、交流入出力端子台２２と直流入出力端子台３２も、プレート面が対抗するように上下に配置される。
【００２２】
図１に示すように、交流入出力端共用アースプレート７０には交流電源側からのアース接続線７４が接続されるアース端子７６が設けられ、直流入出力端共用アースプレート８０にはバッテリ９０側からのアース接続線８５が接続されるアース端子８６が設けられている。
【００２３】
実施の形態１では、交流電源側のアース端子７６とバッテリ９０側のアース端子８６との間の抵抗値が接触抵抗を含めて、好ましくは１０ｍΩ未満、より好ましくは５ｍΩ未満となるように電気的に接続する。両アース端子間の抵抗値は、接続アースバー８２の長さを可能な限り短くし、断面積などを適切に設定し、また、接続アースバー８２の材質すなわち接続アースバー８２の抵抗率などを適切に選定すると共に、接触抵抗が小さくなるように接続アースバー８２を締結することにより、５ｍΩ未満または１０ｍΩ未満とすることができる。また、両アース端子間の抵抗値を５ｍΩ未満または１０ｍΩ未満とすることにより、両アース端子間のインダクタンスも充分に小さくすることができる。
【００２４】
図４には、図３の構成要素に加え、交流ノイズフィルタ４０を搭載する交流側ノイズフィルタ基板４２と、直流ノイズフィルタ５０を搭載する直流側ノイズフィルタ基板４４とを示している。図４構成においても、抵抗値を小さくするため、交流側ノイズフィルタ基板４２を交流入出力端子台２２および交流入出力端共用アースプレート７０に隣接して配置し、交流側ノイズフィルタ基板４２と交流入出力端共用アースプレート７０とをアース接続線４６で接続する。直流側ノイズフィルタ基板４４も直流入出力端子台３２および直流入出力端共用アースプレート８０に隣接して配置し、直流側ノイズフィルタ基板４４と直流入出力端共用アースプレート８０とをアース接続線４８で接続する。その結果、交流側ノイズフィルタ基板４２と直流側ノイズフィルタ基板４４も、基板面が対抗するように上下に配置される。
【００２５】
図１に示すように、交流入出力端共用アースプレート７０には交流ノイズフィルタ４０からのアース接続線４６が接続されるアース端子７８が設けられ、直流入出力端共用アースプレート８０には直流ノイズフィルタ５０からのアース接続線４８が接続されるアース端子８８が設けられている。
【００２６】
実施の形態１では、交流入出力端共用アースプレート７０におけるアース端子（すなわち、交流ノイズフィルタ４０側のアース端子）７８と、直流入出力端共用アースプレート８０におけるアース端子（すなわち、直流ノイズフィルタ５０側のアース端子）８８との間の抵抗値が接触抵抗を含めて、好ましくは１０ｍΩ未満、より好ましくは５ｍΩ未満となるように電気的に接続する。両アース端子間の抵抗値は、接続アースバー８２の長さを可能な限り短くし、断面積などを適切に設定し、また、接続アースバー８２の材質すなわち接続アースバー８２の抵抗率などを適切に選定すると共に、接触抵抗が小さくなるように接続アースバー８２を締結することにより、５ｍΩ未満または１０ｍΩ未満とすることができる。また、両アース端子間の抵抗値を５ｍΩ未満または１０ｍΩ未満とすることにより、両基板間のインダクタンスも充分に小さくすることができる。
【００２７】
なお、図４では、交流入出力端子台２２、直流入出力端子台３２、交流入出力端共用アースプレート７０、直流入出力端共用アースプレート８０、交流側ノイズフィルタ基板４２および直流側ノイズフィルタ基板４４のそれぞれを、充放電装置１０を収容する筐体の下部側に配置する例を示したが、この構成に限定されるものではなく、筐体の上部側に配置してもよい。また、図４では、交流入出力端子台２２、交流入出力端共用アースプレート７０および交流側ノイズフィルタ基板４２を筐体の上部側に配置し、直流入出力端子台３２、直流入出力端共用アースプレート８０および直流側ノイズフィルタ基板４４を下部側に配置しているが、これらの上下関係を逆にして配置してもよいし、左右対称形に配置してもよい。
【００２８】
直流ノイズフィルタ５０の一例は図５に示す通りであり、図４に示した直流側ノイズフィルタ基板４４上に構成される。直流ノイズフィルタ５０は、ＸコンデンサとＹコンデンサとを組み合わせた３つのフィルタ回路５２，５３，５５が、２つのチョークトランス５１，５４を介して接続される２段のノイズフィルタを構成している。ここで、Ｘコンデンサは、ライン間に接続されるコンデンサであり、ノーマルモードノイズを減衰させることに効果的である。Ｙコンデンサは、ラインアース間に接続されるコンデンサであり、コモンモードノイズを減衰させることに効果的である。フィルタ回路５２，５３，５５において、Ｙコンデンサから引き出されるアース線は直流側ノイズフィルタ基板４４上で電気的に接続され、アース接続線４８として直流側ノイズフィルタ基板４４から引き出される。
【００２９】
このとき、直流入出力端共用アースプレート８０において、バッテリ９０側のアース端子８６と直流ノイズフィルタ５０側のアース端子８８との間の抵抗値が接触抵抗を含めて、好ましくは１０ｍΩ未満、より好ましくは５ｍΩ未満となるように、アース端子８６およびアース端子８８を可能な限り近づけて配置する。この構成により、アース端子８６とアース端子８８との間のインダクタンスも小さくすることができる。
【００３０】
また、交流ノイズフィルタ４０の一例は図６に示す通りであり、図４に示した交流側ノイズフィルタ基板４２上に構成される。交流ノイズフィルタ４０は、ＸコンデンサとＹコンデンサとを組み合わせた３つのフィルタ回路６２，６３，６５が、２つのチョークトランス６１，６４を介して接続される２段のノイズフィルタを構成している。ＸコンデンサおよびＹコンデンサを設ける意図は、直流ノイズフィルタ５０の場合と同様である。なお、フィルタ回路６６は、単相３線式のＵ、Ｏ、Ｖの各ラインとアースとの間にＹコンデンサを構成するため、コンデンサの接続はスター結線（Ｙ結線）で接続されている。フィルタ回路６２，６３，６５，６６において、Ｙコンデンサから引き出されるアース線は交流側ノイズフィルタ基板４２上で電気的に接続され、アース接続線４６として交流側ノイズフィルタ基板４２から引き出される。
【００３１】
このとき、交流入出力端共用アースプレート７０において、交流電源側のアース端子７６と交流ノイズフィルタ４０側のアース端子７８との間の抵抗値が接触抵抗を含めて、好ましくは１０ｍΩ未満、より好ましくは５ｍΩ未満となるように、アース端子７６およびアース端子７８を可能な限り近づけて配置する。この構成により、アース端子７６とアース端子７８との間のインダクタンスも小さくすることができる。
【００３２】
以上説明したように、実施の形態１に係る充放電装置によれば、装置外部からの交流入出力線を接続する交流入出力端子台と、装置外部からの直流入出力線を接続する直流入出力端子台と、を有し、交流入出力端子側（交流電源側）のアース端子と直流入出力端子側（バッテリ側）のアース端子との間の抵抗値が１０ｍΩ未満となるように構成した。この構成により、交流入出力端子側のアース端子と直流入出力端子側のアース端子との間のインピーダンスが小さくなるので、交流入出力端子側および直流入出力端子側の各アース端子における雑音端子電圧および雑音端子電力を小さくすることができ、交流入出力端子側と直流入出力端子側との間の伝導ノイズを低減することが可能となる。
【００３３】
また、実施の形態１に係る充放電装置によれば、交流ノイズフィルタのアース端子と、交流入出力端子側のアース端子との間の抵抗値が１０ｍΩ未満となるように構成した。この構成により、交流ノイズフィルタのアース端子と交流入出力端子側のアース端子との間のインピーダンスが小さくなるので、交流ノイズフィルタ側および交流入出力端子側の各アース端子における雑音端子電圧および雑音端子電力を小さくすることができ、交流入出力端子側における伝導ノイズを低減することが可能となる。
【００３４】
また、実施の形態１に係る充放電装置によれば、直流ノイズフィルタのアース端子と、直流入出力端子側のアース端子との間の抵抗値が１０ｍΩ未満となるように構成した。この構成により、直流ノイズフィルタのアース端子と直流入出力端子側のアース端子との間のインピーダンスが小さくなるので、直流ノイズフィルタ側および直流入出力端子側の各アース端子における雑音端子電圧および雑音端子電力を小さくすることができ、直流入出力端子側における伝導ノイズを低減することが可能となる。
【００３５】
実施の形態２．
実施の形態１では、図４に示すように、交流側ノイズフィルタ基板４２の基板面と直流側ノイズフィルタ基板４４の基板面とを対抗して配置する構成について例示したが、実施の形態２では、さらに交流側ノイズフィルタ基板４２および直流側ノイズフィルタ基板４４に搭載する回路部品との関係で配置を特定する。
【００３６】
回路部品を基板に搭載する場合、基板の一面側のみに部品が搭載されている場合には、部品の非搭載面同士を向かい合わせて配置すれば、基板間の距離をより近づけて配置することが可能となる。そこで、実施の形態２では、交流側ノイズフィルタ基板４２およびと直流側ノイズフィルタ基板４４において、部品の非搭載面同士を向かい合わせて配置する。例えば、図４の構成であれば、交流側ノイズフィルタ基板４２では部品の非搭載面を下部側に向け、直流側ノイズフィルタ基板４４では部品の非搭載面を上部側に向ける。このように配置することで、交流側ノイズフィルタ基板４２と直流側ノイズフィルタ基板４４とをより近づけて配置することができ、図１および図４に示した接続アースバー８２の長さをより短くすることが可能となる。
【００３７】
また、搭載スペースの関係で、基板の両面に部品を搭載せざるを得ない場合には、交流側ノイズフィルタ基板４２および直流側ノイズフィルタ基板４４において、部品面の高さが低い面同士が向かい合うように配置するようにする。なお、図５に示す直流ノイズフィルタ５０および図６に示す交流ノイズフィルタ４０を構成する回路部品を例にとると、チョークトランスは比較的に背が高い部品が多く、逆にＹコンデンサは背が低い部品が多い。また、Ｘコンデンサは、両者の中間であることが多い。このため、基板の両面に部品を搭載せざるを得ない場合には、一面側にＹコンデンサを配置し、もう一面側にチョークトランスおよびＸコンデンサを配置し、Ｙコンデンサの搭載面を向かい合わせて配置するようにすれば、効果的である。
【００３８】
以上説明したように、実施の形態２に係る充放電装置によれば、交流ノイズフィルタを搭載する搭載基板と直流ノイズフィルタを搭載する基板とを配置する際に、部品の非搭載面同士を向かい合わせて配置するか、もしくは、部品面の高さが低い面同士を向かい合わせて配置したので、接続アースバーの長さを短くすることができる。その結果、交流入出力端子側のアース端子と直流入出力端子側のアース端子との間のインピーダンスが小さくなるので、交流入出力端子側および直流入出力端子側の各アース端子における雑音端子電圧および雑音端子電力を小さくすることができ、交流入出力端子側と直流入出力端子側との間の伝導ノイズを低減することが可能となる。
【００３９】
実施の形態３．
実施の形態１では、交流入出力端共用アースプレート７０と直流入出力端共用アースプレート８０とを別のプレートで設け、それらを接続アースバー８２で接続する構成について示したが、交流入出力端共用アースプレート７０および直流入出力端共用アースプレート８０は同一の導電性プレートで構成したものであってもよい。ここでは、同一の導電性プレートを「共用アースプレート」と呼称する。
【００４０】
図７は、実施の形態３に係る充放電装置として共用アースプレート８４を有する構成を示す回路図である。図８は、共用アースプレート８４の配置例を示す斜視図である。図９は、共用アースプレート８４の他の配置例を示す斜視図である。図１０は、共用アースプレート８４の構成例を交流入出力端子台２２および直流入出力端子台３２との関係で示す図である。図１１は、共用アースプレート８４の他の構成例を交流入出力端子台２２および直流入出力端子台３２との関係で示す図である。図１２は、交流側ノイズフィルタ基板４２および直流側ノイズフィルタ基板４４と共用アースプレート８４との接続関係を示す図である。
【００４１】
図７に示すように、共用アースプレート８４には、交流電源側からのアース接続線７４が接続されるアース端子７６と、バッテリ９０側からのアース接続線８５が接続されるアース端子８６と、交流ノイズフィルタ４０からのアース接続線４６が接続されるアース端子７８と、直流ノイズフィルタ５０からのアース接続線４８が接続されるアース端子８８とが設けられている。すなわち、これらのアース端子７６，７８，８６，８８は、共用アースプレート８４上で電気的に接続されている。
【００４２】
共用アースプレート８４は、図８に示すように充放電装置１０を収容する筐体の上部側においてプレート面が水平となるように配置してもよいし、図９に示すようにプレート面が垂直となるように配置してもよい。なお、図８および図９では、筐体の上部側に配置する例を示したが、充放電装置の下部側に配置してもよいことは言うまでもない。
【００４３】
また、図１０および図１１に示すように、図８または図９のように配置した共用アースプレート８４の近くに交流入出力端子台２２および直流入出力端子台３２を配置する。なお、図１０および図１１において、実施の形態１に係る図１または図４に示す部位と同一または同等の部位については、同一符号を付して示している。
【００４４】
図１０に示すように、交流入出力端子側のアース接続線７４と直流入出力端子側のアース接続線８５とを同一の導電性プレートである共用アースプレート８４上で電気的に接続することで、交流電源側のアース端子７６とバッテリ９０側のアース端子８６との間の抵抗値をより小さくすることができる。実施の形態１の構成において、好ましい１０ｍΩ未満の抵抗値またはより好ましい５ｍΩ未満の抵抗値を実現できるので、実施の形態３の構成であれば、５ｍΩ未満の抵抗値を実現することは容易であり、設計上のマージンを得ることができる。また、両アース端子間の抵抗値を小さくできるので、両アース端子間のインダクタンスも小さくすることができる。
【００４５】
なお、図１１のように、交流入出力端子台２２への接続ケーブルの挿入方向と、直流入出力端子台３２への接続ケーブルの挿入方向とが逆方向の場合には、共用アースプレート８４を横長の形状とし、共用アースプレート８４における長手方向の両端にアース端子７６，８６を設ければ、接続ケーブルの引き回しが容易となる。
【００４６】
図１２には、交流側ノイズフィルタ基板４２および直流側ノイズフィルタ基板４４のそれぞれと共用アースプレート８４との接続関係を示している。図１２においても、実施の形態１に係る図１または図４に示す部位と同一または同等の部位については、同一符号を付して示している。
【００４７】
図１２に示すように、アース接続線７４およびアース接続線８５の挿入側ではない側にアース端子７８，８８を設け、交流側ノイズフィルタ基板４２および直流側ノイズフィルタ基板４４からそれぞれ引き出されたアース接続線４６，４８とアース端子７８，８８とを接続するようにすれば、接続ケーブルの引き回しが容易となり、かつ、交流側ノイズフィルタ基板４２および直流側ノイズフィルタ基板４４との接続も容易となる。
【００４８】
以上説明したように、実施の形態３に係る充放電装置によれば、交流入出力端子側のアース端子と直流入出力端子側のアース端子とを同一の導電性プレート上に構成したので、実施の形態１で示した交流入出力端および直流入出力端における各共用アースプレート間の距離を近づけることが可能となり、両共用アースプレート間を接続する接続アースバーを実効的に短くすることができる。この構成により、交流入出力端子側のアース端子と直流入出力端子側のアース端子との間のインピーダンスが小さくなるので、交流入出力端子側および直流入出力端子側の各アース端子における雑音端子電圧および雑音端子電力を小さくすることができ、交流入出力端子側と直流入出力端子側との間の伝導ノイズを低減することが可能となる。また、実施の形態１の構成に比べて、インピーダンスの更なる低減が可能となる。
【００４９】
実施の形態４．
実施の形態１から３では、伝導ノイズの低減に効果がある構成について例示したが、実施の形態４では、放射ノイズの低減に効果がある構成について説明する。
【００５０】
図３、図４、図８および図９に示す充放電装置１０では、充放電装置１０を収容する筐体は６面で構成されている。実施の形態４では、これら６面のうちの少なくとも１面以上を交流入出力端共用アースプレート７０および直流入出力端共用アースプレート８０のそれぞれと電気的に接続する。なお、６面の全てが交流入出力端共用アースプレート７０および直流入出力端共用アースプレート８０のそれぞれと電気的に接続されるとなおよい。
【００５１】
交流入出力端共用アースプレート７０および直流入出力端共用アースプレート８０のそれぞれと、筐体との接続は、導電性の板金を導電性のねじ、ワッシャーなどで接続するのが好ましいが、電線を用いてもよい。電線を用いる場合には、電線の線長が可能な限り短くなるようにした上で、導電性のねじ、ワッシャーなどで接続する。
【００５２】
以上説明したように、実施の形態４に係る充放電装置によれば、交流入出力端子側のアース端子と直流入出力端子側のアース端子の双方を、充放電装置を収容する筐体の少なくとも１面に電気的に接続したので、充放電装置を収容する筐体がアース電位と同電位になり、放射ノイズが低減できるという効果が得られる。
【００５３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５４】
１０  充放電装置、２０  交流直流変換器、２２  交流入出力端子台、２４  交流入出力線、２５，３５  コンデンサ、３０  直流直流変換器、３２  直流入出力端子台、３４  直流入出力線、４０  交流ノイズフィルタ、４２  交流側ノイズフィルタ基板、４４  直流側ノイズフィルタ基板、４６，４８，７４，８５  アース接続線、５０  直流ノイズフィルタ、５１，５４，６１，６４  チョークトランス、５２，５３，５５，６２，６３，６５，６６  フィルタ回路、７０  交流入出力端共用アースプレート、７６，７８，８６，８８  アース端子、８０  直流入出力端共用アースプレート、８２  接続アースバー、８４  共用アースプレート、９０  バッテリ、１３１，１３６  電力変換回路、１３２ａ，１３２ｂ，１３２ｃ，１３２ｄ，１３８ａ，１３８ｂ，１３８ｃ，１３８ｄ  半導体素子、１３３，１３７  リアクトル、１３４  トランス、１３４ａ，１３４ｂ  巻線。
【図１】
0006378126.tif 000002
【図２】
0006378126.tif 000003
【図３】
0006378126.tif 000004
【図４】
0006378126.tif 000005
【図５】
0006378126.tif 000006
【図６】
0006378126.tif 000007
【図７】
0006378126.tif 000008
【図８】
0006378126.tif 000009
【図９】
0006378126.tif 000010
【図１０】
0006378126.tif 000011
【図１１】
0006378126.tif 000012
【図１２】
0006378126.tif 000013